(57)【要約】      （修正有）【課題】水の交換の必要性がなく、飼育者の煩雑な作業負担を減少することができる、水中動植物の飼育と生態に最も適した水中動植物の飼育水槽装置を提供する。 【解決手段】飼育水槽装置の設計は、主に水槽本体と上蓋を含み、そのうち水槽本体内部に背面板、底砂フィルタ板が設置され、本体を３つの空間に隔て、そのうち１つの空間が飼育に用いられ、もう１つの空間が加熱棒、濾過装置、バイオボール、水質調整及び濾過強化槽、及び水中ポンプモーター装置の設置に用いられ、第三の空間が底砂フィルタ板の下方に位置し、底砂フィルタ板の下に水流の大きさを制御できる水流調節弁が設置される。【選択図】図１
0003146088.tif 000002
【実用新案登録請求の範囲】
【請求項１】
飼育水槽装置であって、
内部の底部が平面状であり、その上にセラミックリングが設置された水槽本体と、
底砂フィルタ板の下に設置され、水流の大きさの調整に用いられ、その一端が前記板上に突出して露出され、水流が遅ければ遅いほど板下の酸素含有量が少なくなる水流調節弁と、
セラミックリング上に設置され、その上に石が配置された底砂フィルタ板と、
水槽の底に設置され、光線がなく酸素が欠乏する環境を作り、嫌気性脱窒細菌を付着且つ繁殖させ、硝酸塩を窒素に分解して空気中に揮発させ、藻類の生長を防止し、水槽の水を浄化して水の交換を必要としない機能を備えた一組のセラミックリングと、
底砂フィルタ板の下に設置され、セラミックリングを組み合わせて光線があり酸素が欠乏する環境を作り、紅色細菌を繁殖させて水中動植物の生長発育と増色を促進する赤外線LEDランプと、
水槽本体内部を飼育エリアとする前部空間と各種装置を取り付けるための後部空間とに隔てる背面板と、
その上に少なくとも照明装置と観察窓が設けられ、且つ自動餌やり器を追加設置することができる上蓋と、
加熱棒、濾過装置、バイオボール、水質調整及び濾過強化槽、水中ポンプモーター装置を設置するために用いるため後部空間を複数の槽に分け隔てる一組の仕切り板と、
を含むことを特徴とする、飼育水槽装置。
【請求項２】
前記背面板上に複数の入水孔から構成される複数の入水エリアが設けられ、前記背面板の前方の各入水エリアに相対する周囲に複数の凸柱が設置され、凸柱により形成された区域に各スポンジを取り付けることができ、前記入水孔が背面板後方に対して上方向に斜度を有し、入水エリアを通過する水が上に向かって上昇し、水槽の底に沈殿した魚糞を水流方向に沿って背面板の背部に進入させて集中させることができるよう構成したことを特徴とする、請求項１に記載の飼育水槽装置。
【請求項３】
前記濾過装置が、濾過効果を備え、且つ卵状の蝦の卵や幼魚が濾過槽に吸入されるのを防止することを特徴とする、請求項１に記載の飼育水槽装置。
【請求項４】
飼育水槽装置であって、
内部の底部が平面状であり、その上にセラミックリングが設置された水槽本体と、
前記セラミックリング上に設置され、その上に砂利が置かれた底砂フィルタ板と、
水槽の底に設置された一組のセラミックリングと、
空気調節弁、ホース、モーター、スポンジ、上導管、水流調節弁、下導管を接続して構成されるバイオフィルタと、
を含むことを特徴とする、飼育水槽装置。
【考案の詳細な説明】
【技術分野】
【０００１】
本考案は飼育水槽装置の設計に関し、特に、水質を浄化することができ、水槽の水を交換する必要がなく、絶えず循環を行い活力を作り出し、水中動植物の生長発育と増色を促進する、飼育水槽装置に関する。
【背景技術】
【０００２】
現今の社会では、多くの人々が室内やオフィスで水中動植物の飼育を行っており、主に水中動植物の飼育を介して仕事のストレスを癒すことができるためである。
【０００３】
室内やオフィスで最もよく見受けられる飼育方式は、ガラスの水槽に空気調節器を設置して構成されたものであり、空気調節器で水槽内の必要な酸素を維持している。より凝ったものは、ガラス水槽の上方に照明装置を取り付け、適切な光線を維持している。
【０００４】
上述の簡単な水槽装置で水中動植物を飼育するという効果を達することはできるものの、上述のような水槽装置を利用して水中動植物の飼育を行うと、往々にして多くの問題が発生し、重大な問題が起きると水中動物が水中酸素含有量の不足や水中アンモニア濃度の高過ぎなどで水中動物の死亡を引き起こすことがあり、また経常的に水槽を洗浄し、水槽の水を交換しなければならず、一般に水中動植物を飼育するとき最も煩わしい問題となっている。
【０００５】
このため、本考案の考案者は上述の各種欠点に鑑みて、よいものを追及する研究開発の精神で、上述の欠点に対する改善の道を探り、本考案の飼育水槽装置の設計を提供するものであり、最も水中動植物の飼育に適した生態環境を構成することができ、最もよい生態飼育環境を提供し、飼育者の煩雑な作業負担を減少する。
【考案の開示】
【考案が解決しようとする課題】
【０００６】
本考案の主な目的は、主に水槽本体と上蓋を含み、前記水槽本体内部に背面板、底砂フィルタ板が設置され、本体が３つの空間に分け隔てられ、そのうち１つの空間が飼育に用いられ、もう１つの空間が加熱棒、濾過装置、バイオボール、水質調整及び濾過強化槽、及び水中ポンプモーター装置を設置するために用いられ、第三の空間が底砂フィルタ板の下方に位置し、水流の大きさを調節可能な水流調節弁、柵フレーム、セラミックリング、赤外線LEDランプが設置された、飼育に便利な飼育水槽装置を提供することにある。
【０００７】
本考案の第二の目的は、水槽本体内部の底部を斜錐状に設計し、且つ内部の斜錐状の底部に水流調節弁を設置し、前記水流調節弁の周囲に複数のセラミックリングを設け、嫌気性脱窒細菌を付着させて繁殖させ、前記セラミックリングの数量は水中生物の量に基づいて増減することができ、これにより水流調節弁で水流の大きさを調整し、加えて斜錐状底部で水圧が発生するため、動力モーターに依存する必要がなく、水流が遅ければ遅いほど、水の酸素含有量が少なくなり、嫌気性脱窒細菌が硝酸塩を窒素に分解して空気中に揮発させ、藻類の生長を防止し、水槽の水を浄化して水槽の水を交換する必要がないの効果を達することができる、飼育水槽装置を提供することにある。
【０００８】
本考案の第三の目的は、背面板上に複数の排水/入水孔を設け、且つ、各排水/入水孔は背面板後方に対して上方向に斜度を持つ設計とし、水槽の中の水が入水エリアを通過するとき、水流が上に向かう効果を発生し、水槽の底に沈殿した魚糞を水流方向に沿って背面板後方の濾過装置中に吸入させ、糞の処理と濾過の効果を達することができ、同時に、飼育エリアの背面板上の数列の入水孔の両側にそれぞれ複数の小さな凸柱が設置され、この間に異なる密度のスポンジを挿入することができ、バイオフィルタの効果を形成するだけでなく、卵状の蝦の卵が濾過槽に吸入されるのを防止し、この水中動植物水槽内で卵状の蝦類の幼体を繁殖させ、珊瑚、海葵を含む水中動植物幼体の生物餌とすることができ、この水中動植物水槽内で幼魚が繁殖したときも、幼魚が濾過槽に吸入されるのを防ぐことができる、飼育水槽装置を提供することにある。
【課題を解決するための手段】
【０００９】
本考案の飼育水槽装置の設計は、主に水槽本体と上蓋を含み、そのうち水槽本体内部に背面板、底砂フィルタ板が設置され、本体を３つの空間に隔て、そのうち１つの空間が飼育に用いられ、もう１つの空間が加熱棒、濾過装置、バイオボール、水質調整及び濾過強化槽、及び水中ポンプモーター装置の設置に用いられ、第三の空間が底砂フィルタ板の下方に位置し、底砂フィルタ板の下に水流の大きさを制御できる水流調節弁が設置され、水流が遅ければ遅いほど前記板下の酸素含有量が少なくなり、同時に、前記板下に黒色の水を濾過することができる柵フレームが設置され、フレーム内にセラミックリングが設置されて光線がなく酸素が欠乏する環境を作り出し、嫌気性脱窒細菌を付着させて繁殖され、硝酸塩を窒素に分解して空気中に揮発させ、藻類の生長を防止し、これにより水槽の水を浄化して水の交換の必要性をなくす効果を達すると共に、前記底砂フィルタ板の下に赤外線LEDランプが設置され、セラミックリングを設置して光線があり酸素が欠乏する環境を作り出し、これにより栄養価のきわめて高い紅色細菌を繁殖させ、水中動植物の生長発育と増色を促進し、水中動植物の飼育と生態に最も適した水中動植物用の水槽を提供する。
【考案の効果】
【００１０】
水中動植物の飼育と生態に最も適した水中動植物の飼育水槽装置を提供し、水の交換の必要性がなく、飼育者の煩雑な作業負担を減少することができる。
【考案を実施するための最良の形態】
【００１１】
以下、図面と実施例に基づき、本考案の構造的特徴及びその他作用、目的について詳細に説明する。
【００１２】
図１に示すように、本考案の飼育水槽装置の設計は、主に、水槽本体１０と上蓋２０を含む。  
【００１３】
そのうち、水槽本体１０は、図２に示すように（同時に図４を参照）、タンク１１と底部座体１２から構成され、タンク１１内下方に底砂フィルタ板１３が設置され、底砂フィルタ板１３上に穿通孔１４が設けられ、且つ前記穿通孔１４に水流調節弁３０が設置され、タンク１１内には背面板４０が設置され、タンク内部を２つに区分し、前記背面板４０の一側に複数の仕切り板４１が設けられ、他方の一側に複数のスポンジ４２が設置され、且つ、前記背面板４０上方に湾曲管９３の固定孔４３が形成され、タンク１１の２つの側面板１５１内縁にはそれぞれ2つの相互に対応するガイドレール１５が設けられ、背面板４０の両側を前記ガイドレール１５の中に挿入し、タンク１１内部の適切な位置に固定することができ、２つの側面板が臨む後部板１６１上には複数のガイド溝１６が設けられ、背面板４０一側の仕切り板４１を前記ガイド溝１６の中に挿入し、タンク１１内部を前部空間Aと後部空間Bの２つの空間に隔てることができ（図２A参照）、前部空間Aを飼育エリアとし、後部空間Bはさらに仕切り板４１にU字形支持板１７を組み合わせて複数の槽に隔てられ、各空間の中に加熱棒７０、濾過装置80、バイオボール(図示しない)、水質調整及び濾過強化槽、及び水中ポンプモーター装置９０をそれぞれ設置することができる。
【００１４】
水槽本体１０上に上蓋２０が設置され、図３にに示すように、主に上蓋本体２１上に少なくとも１つの観察窓２２が設けられ、且つ各観察窓２２上に開閉蓋２３が設置される。本実施例においては上蓋本体２１の左右両側下方に観察窓２２がそれぞれ設けられ、且つ各観察窓２２上に開閉蓋２３がそれぞれ設置され、即ち、左側開閉蓋２３と右側開閉蓋を含んでいる。上蓋本体２１の後部には蓋板２５が設置され、この蓋板２５はその両端に設置された枢軸を本体２１上に設置された軸孔に枢着し、枢動させることができ、フィルタ綿８１やスポンジ８２の交換、及び加熱棒７０の温度調整を便利に行うことができる。上蓋本体２１底部内側には照明装置５０が設置され、前記照明装置５０は反射板５１、２つのライト固定具５２、２つの発光ライト５３、ライトカバー５４及び放熱ファン５５から構成され、上蓋本体２１の底部内側に固定される。
【００１５】
本実施例において、上蓋本体２１上にはさらに自動餌やり器６０を設置することができ、前記自動餌やり器６０はいずれかの観察窓２２上に設置することができる。自動餌やり器６０を取り付ける場合、観察窓２２上の開閉蓋２３を取り外すと、自動餌やり器６０の取り付けに便利である。本実施例においては、前記自動餌やり器６０を左側の観察窓２２上に設置し、左側の開閉蓋２３を取り外しており、同時に、上蓋本体２１上に別途２つのスイッチ２４を設置し、照明装置５０のオン・オフと放熱ファン５５のオン・オフをそれぞれ制御するために用いることができる。
【００１６】
図４に示すように、背面板４０を利用してタンク１１を前部空間Aと後部空間Bの２つの空間に隔て、且つ仕切り板４１とU字形支持板１７を用いて後部空間Bを複数の槽に隔て、加熱棒７０、濾過装置８０、バイオボール（図示しない）、水質調整及び濾過強化槽及び水中ポンプモーター装置９０を設置する。本実施例においては、背面板４０の一側に４つの仕切り板４１が設置され、U字形支持板１７を組み合わせて後部空間を５つの槽に隔てており、加熱棒７０、濾過装置８０、バイオボール、水質調整及び濾過強化槽、水中ポンプモーター装置９０の設置に用いている。
【００１７】
このほか、タンク１１内部底部下方に底砂フィルタ板１３を設置して第三空間を形成し、タンク１１底部は斜錐状を呈し、タンク１１内部に入れられた水が、この斜錐状の底部の設計により水圧を発生し、動力モーターに依存する必要なく背面板４０前方の水に水流調節弁３０を通過させ、水の流量制御を行うと共に、飼育時に必要な酸素を供給することができる。このほか、底砂フィルタ板１３の下方に水を濾過できる黒い柵フレーム１９を設置し(図４、図４A参照)、柵フレーム１９上にタンク１１底部に固定するための固定栓１９１が設けられ、柵フレーム１９内には複数のセラミックリング１８が設置され、嫌気性脱窒細菌を付着させて繁殖させるために用いられる。このほか、水槽本体１１内部の底部に斜度が設けられているため、水流が通過するときに圧力が発生し、さらにセラミックリング１８を通過し、セラミックリング１８上の嫌気性脱窒細菌が硝酸塩(NO3)を窒素に分解して空気中に揮発させ、藻類の生長を防止し、水槽の水を浄化することができるため、水槽の水を交換する必要はほとんどない。本考案は、前記底砂フィルタ板１３板下に赤外線LEDランプ１２２、回路板１２１、スイッチ１２３(図２及び図２A参照)を設置し、栄養価が極めて高い紅色細菌を繁殖させ、水中動植物の発育生長と増色を促進する。
【００１８】
図５と図６に、加熱棒７０、濾過装置８０、バイオボール濾過槽、水質調整及び濾過強化槽、及び水中ポンプモーター装置９０が背面板４０後方に取り付けられた状態の立体背面図と水流方向を示す図、及び部分拡大図をそれぞれ示す。前記加熱棒７０は背面板４０後方の最も右側に取り付けられ、濾過装置８０と加熱棒７０間は仕切り板４１で隔てられ、前記水中ポンプモーター装置９０は背面板４０後方の最も左側に取り付けられ、前記濾過装置８０は２つのフィルタ綿８１と２つのスポンジ８２を含み、前記濾過装置８０によって水中の雑物を濾過する効果を達する。
【００１９】
水流調節弁３０は背面板４０の下方に固定され、その一端が底砂フィルタ板１３上方の穿通孔１４に穿通され、図２に示すように底砂フィルタ板１３の上端に突出される。前記水流調節弁３０は、水中生物の量によって調整を行うことができ、さらに水流の大きさを調整でき、底部の濾過装置中の嫌気性細菌を十分に生物濾過する効果を達することができる。
【００２０】
背面板４０上の各スポンジ４２に相対する後方に、入水エリア４４がそれぞれ設けられ、各入水エリア４４は複数の入水孔から構成され、且つ各入水孔は背面板４０後方まで延伸され、上向きに斜度を備えた設計を呈し、水槽中の水にスポンジ４２を通過させ、入水エリア４４から背面板４０の後方に進入させ、同時に入水孔の上向きの斜度の設計により、入水エリア４４を通過した水流を上方向に向かわせ、水槽の底に沈殿した魚糞を水流方向に沿って（矢印の方向で示す）背面板４０の背部に進入させ、且つ背面板４０の背部のフィルタ綿８１とスポンジ８２で構成される濾過装置８０の槽に収集し、これにより糞を集め濾過する効果を増進することができる。同時に、前記スポンジ４２の設置により、卵状の蝦卵及び魚や蝦の幼体が背面板４０背部の濾過槽に吸入されるのを防ぐ。
【００２１】
図７と図８に背面板４０の立体図と部分拡大図をそれぞれ示す。背面板４０上の各入水エリア４４の周囲に複数の凸柱４５を設置し、前記凸柱４５により形成される区域にスポンジ（図示しない）を固定することができ、異なる密度のスポンジを設置して水流に前記スポンジを通過させ、入水エリア４４を通過させて背面板４０の後方に流入させ、水質濾過と流動の効果を達すると共に、卵状の蝦卵幼体が濾過槽に吸入されるのを防止することができる。
【００２２】
図７と図９に示すように、前記水中ポンプモーター装置９０は潜水モーター９１、直線型プラスチック管９２、湾曲管９３、ホース９４、異形管９５、空気調節弁９６を含み、そのうち前記潜水モーター９１は水槽本体１０内に設置され、その上に直線型プラスチック管９２が接続され、直線性プラスチック管９２の他端に湾曲管９３が接続され、前記湾曲管９３は三方コネクタであり、直線性プラスチック管９２に接続されるほか、ホース９４と、背面板４０を通過して異形管９５と相互に接続され、異形管９５の他端はタンク１１の飼育エリアに露出され、ホース９４の他端は水槽本体１０の外部に設置された空気調節弁９６に接続され、前記水中ポンプモーター装置９０により水中の酸素含有量を向上し、水中動植物が適度の酸素を得て生命を維持することができるようにする。
【００２３】
上述の加熱棒７０、濾過装置８０、バイオボール、水質調整及び濾過強化槽、水中ポンプモーター装置９０及び照明装置５０を設置した飼育水槽装置は、水温調整、水中酸素含有量の向上、水中の雑物濾過及び適時の照明提供が可能な飼育水槽装置であり、水中生物の飼育に最適な生態環境であり、最も優れた生態飼育環境を提供し、水中動植物の飼育を行うことができる。
【００２４】
図１０に本考案の部分断面図を示す。本断面図は加熱棒７０を設置した位置の断面図である。その他各図にも示すように、本考案は主に上蓋２０を水槽本体１０の上方にかぶせて設置し、且つ、背面板４０により水槽本体１０内部を前部空間Aと後部空間Bの２つの空間に隔て、前部空間Aを飼育エリアとし、後部空間B内に各種異なる調節及び濾過の装置を設置し、図中の背面板４０が水槽本体１０を隔てた後、加温槽が形成され、前記加熱棒７０を前記加温槽の中に設置し、水槽本体１０内部に入れられた水に対し前記加熱棒７０で水温制御を行うことができる。
【００２５】
図１１に本考案の別の実施例の立体分解図を示す。水槽の底が平面であるとき、水槽の底にセラミックリング１８を設置し、順に上に向かって底砂フィルタ板１３、砂利９９を配置し、且つ下導管９８を水流調節弁３０に接続し、上導管９７を内部に備えたスポンジ４２に接続し、その上端にさらに潜水モーター９１が設置され、且つホース９４と空気調節弁９６を組み合わせ水槽の浸水式バイオフィルタを構成し、生物濾過の効果を十分に達することができる。
【００２６】
このほか、本実施例は上蓋２０上にさらに自動餌やり器６０を設置することができ、自動餌やり器６０により自動的に水中生物が必要な食物を提供し、飼育者の自動的な餌やりの動作を補助することができる。
【００２７】
上述をまとめると、本考案の飼育水槽装置の設計は、新規性と進歩性を確実に備えており、技術手段の運用も新規的であることに疑いがなく、且つその効果と設計目的が合致しているため、合理的且つ進歩的であることは明らかである。このため、法に基づき実用新案登録を出願するものであり、貴局におかれましては詳細な審査の上、登録を許可していただけるよう願うものである。
【図面の簡単な説明】
【００２８】
【図１】本考案の立体斜視図である。
【図２】本考案の水槽本体の立体分解図である。
【図２Ａ】本考案の水槽本体の底部座体の俯瞰図である。
【図３】本考案の上蓋の立体分解図である。
【図４】本考案の水槽本体の組み立て後の俯瞰図である。
【図４Ａ】本考案の水槽本体の底部座体上のセラミックリングの柵フレームの立体図である。
【図５】本考案の背面板と各装置間の立体背面図である。
【図６】図５の部分拡大図である。
【図７】本考案の背面板と各装置間の立体前面図である。
【図８】図７の部分拡大図である。
【図９】本考案の水中ポンプモーター装置の立体分解図である。
【図１０】本考案の部分断面図である。
【図１１】本考案の別の実施例の立体分解図である。
【符号の説明】
【００２９】
１０      水槽本体
１１      タンク
１２      底部座体
１２１    回路板
１２２    赤外線LEDランプ
１２３   スイッチ
１３      底砂フィルタ板
１４      穿通孔
１５      ガイドレール
１５１    側面板
１６      ガイド溝
１６１    後部板
１７     U字形支持板
１８      セラミックリング
１９      柵フレーム
１９１    固定栓
２０      上蓋
２１      上蓋本体
２２      観察窓
２３      開閉蓋
２４      スイッチ
２５      蓋板
３０      水流調節弁
４０      背面板
４１      仕切り板
４２      スポンジ
４３      湾曲管固定孔
４４      入水エリア
４５      凸柱
５０      照明装置
５１      反射板
５２      ライト固定具
５３      発光ライト
５４      ライトカバー
５５      放熱ファン
６０      自動餌やり器
７０      加熱棒
８０      濾過装置
８１      フィルタ綿
８２      スポンジ
９０      水中ポンプモーター装置
９１      潜水モーター
９２      直線型プラスチック管
９３      湾曲管
９４      ホース
９５      異形管
９６      空気調節弁
９７     上導管
９８      下導管
９９      砂利
A        前部空間
B        後部空間
【図１】
0003146088.tif 000003
【図２】
0003146088.tif 000004
【図２Ａ】
0003146088.tif 000005
【図３】
0003146088.tif 000006
【図４】
0003146088.tif 000007
【図４Ａ】
0003146088.tif 000008
【図５】
0003146088.tif 000009
【図６】
0003146088.tif 000010
【図７】
0003146088.tif 000011
【図８】
0003146088.tif 000012
【図９】
0003146088.tif 000013
【図１０】
0003146088.tif 000014
【図１１】
0003146088.tif 000015
【手続補正書】
【提出日】平成20年7月31日(2008.7.31)
【手続補正１】
【補正対象書類名】実用新案登録請求の範囲
【補正対象項目名】請求項１
【補正方法】変更
【補正の内容】
【請求項１】
飼育水槽装置であって、内部の底部が平面状であり、その上にセラミックリングが設置された水槽本体と、底砂フィルタ板の下に設置され、水流の大きさの調整に用いられ、その一端が前記板上に突出して露出され、水流が遅ければ遅いほど板下の酸素含有量が少なくなる水流調節弁と、セラミックリング上に設置され、その上に石が配置された底砂フィルタ板と、水槽の底に設置され、光線がなく酸素が欠乏する環境を作り、嫌気性脱窒細菌を付着且つ繁殖させ、硝酸塩を窒素に分解して空気中に揮発させ、藻類の生長を防止し、水槽の水を浄化して水の交換を必要としない機能を備えた一組のセラミックリングと、底砂フィルタ板の下に設置され、セラミックリングを組み合わせて光線があり酸素が欠乏する環境を作り、紅色細菌を繁殖させて水中動植物の生長発育と増色を促進する赤外線LEDランプと、水槽本体内部を飼育エリアとする前部空間と各種装置を取り付けるための後部空間とに隔てる背面板と、その上に少なくとも照明装置と観察窓が設けられ、且つ自動餌やり器を追加設置することができる上蓋と、加熱棒、濾過装置、生物濾過ボール、水質調整及び濾過強化槽、水中ポンプモーター装置を設置するために用いるため後部空間を複数の槽に分け隔てる一組の仕切り板と、を含むことを特徴とする、飼育水槽装置。
【手続補正２】
【補正対象書類名】明細書
【補正対象項目名】０００６
【補正方法】変更
【補正の内容】
【０００６】本考案の主な目的は、主に水槽本体と上蓋を含み、前記水槽本体内部に背面板、底砂フィルタ板が設置され、本体が３つの空間に分け隔てられ、そのうち１つの空間が飼育に用いられ、もう１つの空間が加熱棒、濾過装置、生物濾過ボール、水質調整及び濾過強化槽、及び水中ポンプモーター装置を設置するために用いられ、第三の空間が底砂フィルタ板の下方に位置し、水流の大きさを調節可能な水流調節弁、柵フレーム、セラミックリング、赤外線LEDランプが設置された、飼育に便利な飼育水槽装置を提供することにある。
【手続補正３】
【補正対象書類名】明細書
【補正対象項目名】０００９
【補正方法】変更
【補正の内容】
【０００９】本考案の飼育水槽装置の設計は、主に水槽本体と上蓋を含み、そのうち水槽本体内部に背面板、底砂フィルタ板が設置され、本体を３つの空間に隔て、そのうち１つの空間が飼育に用いられ、もう１つの空間が加熱棒、濾過装置、生物濾過ボール、水質調整及び濾過強化槽、及び水中ポンプモーター装置の設置に用いられ、第三の空間が底砂フィルタ板の下方に位置し、底砂フィルタ板の下に水流の大きさを制御できる水流調節弁が設置され、水流が遅ければ遅いほど前記板下の酸素含有量が少なくなり、同時に、前記板下に黒色の水を濾過することができる柵フレームが設置され、フレーム内にセラミックリングが設置されて光線がなく酸素が欠乏する環境を作り出し、嫌気性脱窒細菌を付着させて繁殖され、硝酸塩を窒素に分解して空気中に揮発させ、藻類の生長を防止し、これにより水槽の水を浄化して水の交換の必要性をなくす効果を達すると共に、前記底砂フィルタ板の下に赤外線LEDランプが設置され、セラミックリングを設置して光線があり酸素が欠乏する環境を作り出し、これにより栄養価のきわめて高い紅色細菌を繁殖させ、水中動植物の生長発育と増色を促進し、水中動植物の飼育と生態に最も適した水中動植物用の水槽を提供する。
【手続補正４】
【補正対象書類名】明細書
【補正対象項目名】００１３
【補正方法】変更
【補正の内容】
【００１３】そのうち、水槽本体１０は、図２に示すように（同時に図４を参照）、タンク１１と底部座体１２から構成され、タンク１１内下方に底砂フィルタ板１３が設置され、底砂フィルタ板１３上に穿通孔１４が設けられ、且つ前記穿通孔１４に水流調節弁３０が設置され、タンク１１内には背面板４０が設置され、タンク内部を２つに区分し、前記背面板４０の一側に複数の仕切り板４１が設けられ、他方の一側に複数のスポンジ４２が設置され、且つ、前記背面板４０上方に湾曲管９３の固定孔４３が形成され、タンク１１の２つの側面板１５１内縁にはそれぞれ2つの相互に対応するガイドレール１５が設けられ、背面板４０の両側を前記ガイドレール１５の中に挿入し、タンク１１内部の適切な位置に固定することができ、２つの側面板が臨む後部板１６１上には複数のガイド溝１６が設けられ、背面板４０一側の仕切り板４１を前記ガイド溝１６の中に挿入し、タンク１１内部を前部空間Aと後部空間Bの２つの空間に隔てることができ（図２A参照）、前部空間Aを飼育エリアとし、後部空間Bはさらに仕切り板４１にU字形支持板１７を組み合わせて複数の槽に隔てられ、各空間の中に加熱棒７０、濾過装置80、生物濾過ボール(図示しない)、水質調整及び濾過強化槽、及び水中ポンプモーター装置９０をそれぞれ設置することができる。
【手続補正５】
【補正対象書類名】明細書
【補正対象項目名】００１６
【補正方法】変更
【補正の内容】
【００１６】図４に示すように、背面板４０を利用してタンク１１を前部空間Aと後部空間Bの２つの空間に隔て、且つ仕切り板４１とU字形支持板１７を用いて後部空間Bを複数の槽に隔て、加熱棒７０、濾過装置８０、生物濾過ボール（図示しない）、水質調整及び濾過強化槽及び水中ポンプモーター装置９０を設置する。本実施例においては、背面板４０の一側に４つの仕切り板４１が設置され、U字形支持板１７を組み合わせて後部空間を５つの槽に隔てており、加熱棒７０、濾過装置８０、生物濾過ボール、水質調整及び濾過強化槽、水中ポンプモーター装置９０の設置に用いている。
【手続補正６】
【補正対象書類名】明細書
【補正対象項目名】００１８
【補正方法】変更
【補正の内容】
【００１８】図５と図６に、加熱棒７０、濾過装置８０、生物濾過ボール濾過槽、水質調整及び濾過強化槽、及び水中ポンプモーター装置９０が背面板４０後方に取り付けられた状態の立体背面図と水流方向を示す図、及び部分拡大図をそれぞれ示す。前記加熱棒７０は背面板４０後方の最も右側に取り付けられ、濾過装置８０と加熱棒７０間は仕切り板４１で隔てられ、前記水中ポンプモーター装置９０は背面板４０後方の最も左側に取り付けられ、前記濾過装置８０は２つのフィルタ綿８１と２つのスポンジ８２を含み、前記濾過装置８０によって水中の雑物を濾過する効果を達する。
【手続補正７】
【補正対象書類名】明細書
【補正対象項目名】００２３
【補正方法】変更
【補正の内容】
【００２３】上述の加熱棒７０、濾過装置８０、生物濾過ボール、水質調整及び濾過強化槽、水中ポンプモーター装置９０及び照明装置５０を設置した飼育水槽装置は、水温調整、水中酸素含有量の向上、水中の雑物濾過及び適時の照明提供が可能な飼育水槽装置であり、水中生物の飼育に最適な生態環境であり、最も優れた生態飼育環境を提供し、水中動植物の飼育を行うことができる。